(57)【要約】【課題】  自動改札処理が正常終了せずに自動改札機を通過してしまうのを極力なくすようにする。【解決手段】  自動改札機と無線通信可能なＩＣチップを内蔵した携帯端末、或いは自動改札機と無線通信可能なＩＣカードを装填した携帯端末により自動改札する電子乗車券システムにおいて、自動改札処理が正常終了せずに携帯端末が自動改札機の通信範囲外になったとき携帯端末のバイブレーション手段を動作させるようにしたものである。【選択図】        図１
2005284744.tif 000002
【特許請求の範囲】
【請求項１】
自動改札機と無線通信可能なＩＣチップを内蔵した携帯端末、或いは自動改札機と無線通信可能なＩＣカードを装填した携帯端末により自動改札する電子乗車券システムにおいて、
自動改札処理が正常終了せずに携帯端末が自動改札機の通信範囲外になったとき携帯端末のバイブレーション手段を動作させることを特徴とする電子乗車券システム。
【発明の詳細な説明】
【技術分野】
【０００１】
本発明は自動改札機と無線通信可能なＩＣチップを内蔵した携帯端末、或いは自動改札機と無線通信可能なＩＣカードを装填した携帯端末により自動改札する電子乗車券システムに関するものである。
【背景技術】
【０００２】
従来、定期券、特急券、ストアードフェア（ＳＦ）券等の乗車券類のデータ、電子現金等が充填可能なＩＣカードや携帯電話機等と自動改札機とを無線通信可能にして非接触で自動改札できるようにした電子乗車券システムが提案されている（特許文献１）。
【０００３】
例えば、図４において、携帯電話機１に内蔵のＩＣチップ２は定期券等の乗車券類データ、電子現金データが充填可能であり、充填された内容はディスプレイ３により確認することができる。ＩＣチップ２にはアンテナ（携帯電話機本体に収納）が接続されていて、自動改札機４との間で無線通信方式で交信可能であり、この携帯電話機１を自動改札機４にかざすだけで自動改札処理が行われる。
【０００４】
また、図５において、ＩＣカード５は定期券等の乗車券類データ、電子現金データが充填可能であり、携帯電話機１に装填されると携帯電話機１に内蔵のリーダ／ライタ７でその内容を読み取り、ディスプレイ３に表示して見ることができる。ＩＣカード５はアンテナを有していて自動改札機４と無線通信方式で交信可能であり、自動改札機４に携帯電話機をかざすだけで自動改札処理が行われる。
【０００５】
図４、図５における自動改札処理のシーケンス概要について図６により説明する。
自動改札機は、タイミングＴ１において所定範囲をカバーする電波を出してＩＣカードや携帯電話機（以下、ＩＣカード）がその範囲に入るのを監視している（ポーリング命令）。ＩＣカードが自動改札機の出す電波範囲内に入り（ｔ１）、ポーリング命令を受信するとそれに対してレスポンスを返す（ｔ２）。自動改札機はこのレスポンスを受信し（Ｔ２）、相互認証処理等の信号のやりとりを行った後、データの読み取り命令を発行する（Ｔ３）。読み取り命令を受信すると（ｔ３）、ＩＣカードは乗車券類のデータを読み取ってレスポンスとして返す（ｔ４）。自動改札機はデータを受信し（Ｔ４）、さらに読み取り処理を相互認証をまじえてブロック単位で複数回行う。読み取り処理が終了すると、自動改札機は書き込み命令を発行する（Ｔ５）。書き込み命令を受信すると（ｔ５）、ＩＣカードはデータの書き込みを行い、書き込みの終了をレスポンスとして返す（ｔ６）。自動改札機がこのレスポンス受信すると（Ｔ６）ゲートを開き、１枚のＩＣカードに対する自動改札処理が終了する。自動改札機はポーリング命令を発行して次のＩＣカード待ちとなる。
【特許文献１】特開平２００２−１４０７３５号公報
【発明の開示】
【発明が解決しようとする課題】
【０００６】
ところで、自動改札機は、投入された１枚の有効な乗車券（正券）に対して１人だけ通過可能とするものであり、ＩＣカードをかざしてそれが正常であれば＋１、次いで、センサにより一人通過を確認すると−１とする正券カウンタを有している。しかし、正しくＩＣカードをかざした者が通過しなかったり、正しくＩＣカードをかざしたものが２人重なって通過したり、何らかの原因で改札機が人の通過を見失った場合には正券カウンタ値が残る（正券残り）状態となり、この状態では次の人は改札処理が正常でなくても通過可能となっしまう。
【０００７】
また、ラッシュ時の自動改札機では、扉を開けたままになっているため、例えば、図６の改札処理において、ｔ５のタイミングでＩＣカードへのデータの書き込みが終わってない状態で通過できてしまい、次に自動改札を通過できなくなってしまう場合が生ずる。また、ｔ６のタイミングの直前で書き込み終了を送信していない状態で通過してしまうと、自動改札機側では、ＩＣカードへの書き込みが正常終了したのか否か確認できない。
【０００８】
このように自動改札処理が正常に終了していない場合、自動改札機では正常終了の場合と異なる警告音を発しているが、ユーザが気がつかない場合が多いのが実情である。そのため自動改札の集計業務を行う際に集計に誤差が生じてしまう可能性がある。
【課題を解決するための手段】
【０００９】
本発明は上記課題を解決しようとするもので、自動改札処理が正常終了せずに自動改札機を通過してしまうのを極力なくすようにすることを目的とする。
そのために本発明は、自動改札機と無線通信可能なＩＣチップを内蔵した携帯端末、或いは自動改札機と無線通信可能なＩＣカードを装填した携帯端末により自動改札する電子乗車券システムにおいて、自動改札処理が正常終了せずに携帯端末が自動改札機の通信範囲外になったとき携帯端末のバイブレーション手段を動作させることを特徴とする。
【発明の効果】
【００１０】
本発明は、自動改札機と無線通信可能なＩＣチップを内蔵した携帯端末や自動改札機と無線通信可能なＩＣカードを装填した携帯端末により自動改札する電子乗車券システムにおいて、自動改札処理が正常終了せずに携帯端末が自動改札機との通信範囲外になったとき携帯端末のバイブレーションで通知するようにしたので、ユーザは正常終了していないことを認識することができ、処理のやり直しを行って正常終了することができる。
【発明を実施するための最良の形態】
【００１１】
以下、本発明の実施の形態について説明する。
図１は本実施形態において自動改札処理が正常終了していないことをユーザに通知する構成を説明するブロック図である。
携帯電話機のＩＣチップには、マナーモードにおいてバイブレータ８を駆動して無音で振動を発生させる制御手段９（プログラム）が組み込まれている。一方、自動改札処理が正常終了したか否かはＩＣチップまたはＩＣカード側の判別手段１０で判別できるので、その判別結果を制御手段に送ることでバイブレータ８を制御する。そして、図６のタイミングｔ５で書き込みが終了していない状態、タイミングｔ６の直前で書き込み終了を送信していない状態で自動改札機を通過してしまうような、自動改札処理が正常終了せずに携帯電話機が自動改札機の通信範囲外になった場合、携帯電話機のマナーモードで使用されるバイブレータ８が作動してユーザに通知する。ユーザはバイブレーションにより正常終了してないことを知り、処理のやり直しを行って正常終了することが可能である。
【００１２】
図２は本実施形態の例を示す図であり、図４に示した携帯電話機に対応している。図４で説明したように、携帯電話機１に内蔵のＩＣチップ２に定期券等の乗車券類データ、電子現金データを充填し、ＩＣチップ２に接続したアンテナで自動改札機４との間で通信し、この携帯電話機１を自動改札機４にかざすことで自動改札処理が行われる。
【００１３】
そして、自動改札処理が正常終了せずに携帯電話機が自動改札機との通信範囲外になった場合、携帯電話機のマナーモードで使用されるバイブレータ８を作動させてユーザに通知する。
【００１４】
図３は本実施形態の他の例を示す図であり、図５に示した携帯電話機に対応している。図５で説明したように、ＩＣカード５は定期券等の乗車券類データ、電子現金データが充填され、アンテナを通して自動改札機４と無線通信し、自動改札機４に携帯電話機をかざすだけで自動改札処理が行われる。
【００１５】
そして、自動改札処理が正常終了せずに携帯電話機が自動改札機との通信範囲外になった場合、携帯電話機のマナーモードで使用されるバイブレータ８を作動させてユーザに通知する。
【００１６】
なお、上記説明では、図６に示したようにＩＣカード側からの書き込み命令に対するレスポンスで改札処理を終了したものとしている。しかしこの方式では、ＩＣカード側では書き込みレスポンスを送信して正常終了したと判断しても、何らかの理由で自動改札機側で書き込みレスポンスを受信できないと、正常終了していないと判断してしまう可能性がある。そのため、ＩＣカードからの書き込み終了レスポンスを受信したことを、自動改札機側からＩＣカード側に通知するようにしてもよい。
【００１７】
なお、上記説明では携帯電話機とＩＣカードを用いたシステムについて説明したが、携帯電話機に限らず、手帳形の小型電子機器、ブック型パソコン等携帯可能な端末装置とＩＣカードの組み合わせによるシステムとしてもよいことは言うまでもない。
【産業上の利用可能性】
【００１８】
本発明によれば、自動改札処理が正常終了せずに自動改札機を通過してしまうのを極力なくすことができるので、産業上の利用価値は極めて大きい。
【図面の簡単な説明】
【００１９】
【図１】処理未了時にバイブレータを作動させるブロック図である。
【図２】自動改札の処理未了を説明する概念図である。
【図３】自動改札の処理未了を説明する概念図である。
【図４】従来の携帯電話機による自動改札を説明する概念図である。
【図５】従来のＩＣカードによる自動改札を説明する概念図である。
【図６】自動改札処理のシーケンスの概要を説明する図である。
【符号の説明】
【００２０】
１…携帯電話機、２…ＩＣチップ、３…ディスプレイ、４…自動改札機、５…ＩＣカード、７…リーダ／ライタ、８…バイブレータ、９…制御手段、１０…判断手段。
【図１】
2005284744.tif 000003
【図２】
2005284744.tif 000004
【図３】
2005284744.tif 000005
【図４】
2005284744.tif 000006
【図５】
2005284744.tif 000007
【図６】
2005284744.tif 000008